(57)【要約】【課題】見込み客に関する情報の収集から保険加入希望者へのアポイントメント成立までの工程を効率的に支援することができる保険商品提示システム及び保険商品提示プログラムを提供する。【解決手段】保険商品提示システム１は、提示サーバと、管理サーバと、管理サーバとアクセス可能な状態でコールセンターに配置される第一端末装置と、管理サーバとアクセス可能な状態で直営店舗に配置される第二端末装置とを備える。提示サーバは、資料請求ページへアクセスするデバイスに関する情報と、資料請求ページへのアクセス時の参照元に関する情報と、を取得する情報取得部を有し、管理サーバは、提示サーバによって資料請求が受け付けられると、第一端末装置に資料請求ページで受け付けた個人情報と、資料請求ページにアクセスしたデバイス及び参照元に関する情報とを対応付けて一覧表示させる制御部を有する。【選択図】図１
2020113111.tif 000002
【特許請求の範囲】
【請求項１】
ネットワークを介して入力される条件に基づいて保険商品を提示すると共に、少なくとも氏名及び連絡先を含む個人情報の入力を条件として前記保険商品の資料請求を受け付ける資料請求ページを提供する提示サーバと、
前記資料請求ページに入力された前記個人情報と、資料請求された保険に関する資料請求情報と、を管理する管理サーバと、
前記管理サーバとアクセス可能な状態でコールセンターに配置され、第一表示部と第一操作部とを有する第一端末装置と、
前記管理サーバとアクセス可能な状態で直営店舗に配置され、第二表示部と第二操作部とを有する第二端末装置と、を備え、
前記提示サーバは、前記資料請求ページへアクセスするデバイスに関する情報と、前記資料請求ページへのアクセス時の参照元に関する情報と、を取得する情報取得部を有し、
前記管理サーバは、
前記個人情報及び前記資料請求情報を記憶部に記憶して情報を管理する情報管理部と、
前記提示サーバによって前記資料請求が受け付けられると、前記第一端末装置の前記第一表示部に、前記資料請求ページで受け付けた前記個人情報と、前記資料請求ページにアクセスした前記デバイス及び前記参照元に関する情報とを対応付けて一覧表示させる制御部と、を有する、保険商品提示システム。
【請求項２】
前記記憶部には、一の個人情報として、住所、電話番号、携帯電話番号、漢字氏名、及びカナ氏名が関連付けて記憶されており、
前記情報管理部は、一の個人情報に対して家族関係にある個人情報である家族情報を関連付けた情報を顧客情報として管理し、
前記制御部は、前記第一操作部を介して前記第一表示部に表示された一の資料請求情報が選択されると、選択された一の資料請求情報に含まれる前記住所、前記電話番号、前記携帯電話番号、前記漢字氏名、及び前記カナ氏名の少なくとも一つが一致、かつ前記家族関係に該当するとして管理されていない個人情報を前記記憶部から候補情報として抽出して、前記家族情報及び前記候補情報を関連情報として前記第一表示部に表示させる、請求項１記載の保険商品提示システム。
【請求項３】
前記第一端末装置は、前記資料請求情報に対して、保険加入希望者に対する架電の成否に関する情報、アポイントメントの成否に関する情報、及び架電時のヒアリング内容の入力可能に設けられており、
前記情報管理部は、前記第一操作部を介して入力された、前記保険加入希望者に対する架電の成否に関する情報、前記アポイントメントの成否に関する情報、及び前記架電時のヒアリング内容を顧客情報として管理する、請求項１又は２記載の保険商品提示システム。
【請求項４】
前記情報管理部は、前記架電の成否に関する情報に関連付けて架電日時を記憶して管理しており、
前記制御部は、前記架電の成否に関する情報が否であり、かつ、前記架電日時から所定日が経過した前記資料請求情報を、未架電情報として前記第一表示部に一覧表示させる、請求項３記載の保険商品提示システム。
【請求項５】
前記制御部は、前記記憶部に記憶された前記資料請求情報を、前記第二端末装置の前記第二表示部に表示させ、
前記第二端末装置は、アポイントメントが成立した前記資料請求情報ごとに前記直営店舗に所属する相談員に関する情報を入力可能に設けられており、
前記情報管理部は、前記第二操作部を介して入力された前記相談員に関する情報を、前記顧客情報として管理する、請求項２〜４の何れか一項記載の保険商品提示システム。
【請求項６】
ネットワークを介して入力される条件に基づいて保険商品を提示すると共に、少なくとも氏名及び連絡先を含む個人情報の入力を条件として前記保険商品の資料請求を受け付ける資料請求ページを提供する提示サーバと、
前記資料請求ページに入力された前記個人情報と、資料請求された保険に関する資料請求情報と、を管理する管理サーバと、
前記管理サーバとアクセス可能な状態でコールセンターに配置され、第一表示部と第一操作部とを有する第一端末装置と、
前記管理サーバとアクセス可能な状態で直営店舗に配置され、第二表示部と第二操作部とを有する第二端末装置と、を備える、保険商品提示システムにおける保険商品提示プログラムであって、
前記提示サーバに、前記資料請求ページへアクセスするデバイスに関する情報と、前記資料請求ページへのアクセス時の参照元に関する情報と、を取得する情報取得処理を実現させると共に、
前記管理サーバに、
前記個人情報及び前記資料請求情報を記憶部に記憶させる記憶処理と、
前記提示サーバによって前記資料請求が受け付けられると、前記第一端末装置の前記第一表示部に、前記資料請求ページで受け付けた前記個人情報と、前記資料請求ページにアクセスした前記デバイス及び前記参照元に関する情報とを対応付けて一覧表示させる表示制御処理と、を実現させる、保険商品提示プログラム。
【発明の詳細な説明】
【技術分野】
【０００１】
本発明は、保険商品提示システム及び保険商品提示プログラムに関する。
【背景技術】
【０００２】
保険加入希望者と保険会社との間の保険契約締結の媒介を行う保険代理店が知られている。このような保険代理店には、保険加入希望者が住んでいる地域に相談員が訪問する訪問型の代理店と、例えば、ショッピングセンター又は商業ビル等に窓口店舗があり、相談員が常駐する来店型の代理店とがある。このような保険代理店が新規契約を増やすためには、効率的に見込み客に関する情報を収集すると共に、これらの見込み客に対し効率的にアポイントメントをとる必要がある。
【０００３】
例えば、特許文献１に記載の営業支援システムでは、コールセンターのオペレータは、多数の会員を有するリストホルダ（例えば、クレジットカード会社、銀行、インターネットプロバイダ、又は通信販売会社等）の顧客情報を参照して顧客に架電し、アポイントメントがとれた顧客に対して訪問代理店の相談員を効率的に結びつけることができる営業支援システムが開示されている。
【先行技術文献】
【特許文献】
【０００４】
【特許文献１】特開２０１３−２１８６４３号公報
【発明の概要】
【発明が解決しようとする課題】
【０００５】
しかしながら、上記特許文献１に記載されているリストホルダの顧客情報は、保険加入希望者であるか否かを把握し得る情報が含まれていないので、コールセンターのオペレータは、リストホルダの顧客情報に基づいて片っ端から架電しなければならない。このため、アポイントメントが成立するまでの道のりは決して効率的ではない。
【０００６】
そこで、本発明の目的は、見込み客に関する情報の収集から保険加入希望者へのアポイントメント成立までの工程を効率的に支援することができる保険商品提示システム及び保険商品提示プログラムを提供することにある。
【課題を解決するための手段】
【０００７】
本発明の保険商品提示システムは、ネットワークを介して入力される条件に基づいて保険商品を提示すると共に、少なくとも氏名及び連絡先を含む個人情報の入力を条件として保険商品の資料請求を受け付ける資料請求ページを提供する提示サーバと、資料請求ページに入力された個人情報と、資料請求された保険に関する資料請求情報と、を管理する管理サーバと、管理サーバとアクセス可能な状態でコールセンターに配置され、第一表示部と第一操作部とを有する第一端末装置と、管理サーバとアクセス可能な状態で直営店舗に配置され、第二表示部と第二操作部とを有する第二端末装置と、を備え、提示サーバは、資料請求ページへアクセスするデバイスに関する情報と、資料請求ページへのアクセス時の参照元に関する情報と、を取得する情報取得部を有し、管理サーバは、個人情報及び資料請求情報を記憶部に記憶して情報を管理する情報管理部と、提示サーバによって資料請求が受け付けられると、第一端末装置の第一表示部に、資料請求ページで受け付けた個人情報と、資料請求ページにアクセスしたデバイス及び参照元に関する情報とを対応付けて一覧表示させる制御部と、を有する。
【０００８】
本発明に係る保険商品提示プログラムでは、ネットワークを介して入力される条件に基づいて保険商品を提示すると共に、少なくとも氏名及び連絡先を含む個人情報の入力を条件として保険商品の資料請求を受け付ける資料請求ページを提供する提示サーバと、資料請求ページに入力された個人情報と、資料請求された保険に関する資料請求情報と、を管理する管理サーバと、管理サーバとアクセス可能な状態でコールセンターに配置され、第一表示部と第一操作部とを有する第一端末装置と、管理サーバとアクセス可能な状態で直営店舗に配置され、第二表示部と第二操作部とを有する第二端末装置と、を備える、保険商品提示システムにおける保険商品提示プログラムであって、提示サーバに、資料請求ページへアクセスするデバイスに関する情報と、資料請求ページへのアクセス時の参照元に関する情報と、を取得する情報取得処理を実現させると共に、管理サーバに、個人情報及び資料請求情報を記憶部に記憶させる記憶処理と、提示サーバによって資料請求が受け付けられると、第一端末装置の第一表示部に、資料請求ページで受け付けた個人情報と、資料請求ページにアクセスしたデバイス及び参照元に関する情報とを対応付けて一覧表示させる表示制御処理と、を実現させる。
【０００９】
この保険商品提示システム及び保険商品提示プログラムによれば、保険加入希望者によって、インターネット上のサイトから少なくとも氏名及び連絡先を含む個人情報の入力を条件とする資料請求がなされることによって、容易に見込み客に関する情報を収集することができる。更に、制御部は、見込み客情報として、個人情報に関連付けて、資料請求ページにアクセスしたデバイス及び参照元に関する情報とを対応付けて一覧表示させる。上記保険商品提示システムを扱うオペレータは、上記のデバイス及び参照元に関する情報を参照しながら、アポイントメントの成立の可能性が高い保険加入希望者（資料請求者）に選択的に架電することが可能になる。この結果、見込み客に関する情報の収集から保険加入希望者へのアポイントメント成立までの工程を効率的に支援することができる。
【００１０】
本発明の保険商品提示システムでは、記憶部には、一の個人情報として、住所、電話番号、携帯電話番号、漢字氏名、及びカナ氏名が関連付けて記憶されており、管理サーバは、一の個人情報に対して家族関係にある個人情報である家族情報を関連付けた情報を顧客情報として管理する情報管理部を更に有し、制御部は、第一操作部を介して第一表示部に表示された一の資料請求情報が選択されると、選択された一の資料請求情報に含まれる住所、電話番号、携帯電話番号、漢字氏名、及びカナ氏名の少なくとも一つが一致、かつ家族関係に該当するとして管理されていない個人情報を記憶部から候補情報として抽出して、家族情報及び候補情報を関連情報として第一表示部に表示させてもよい。この構成の保険商品提示システムによれば、オペレータは、保険加入希望者本人が予め家族として申告した個人情報だけでなく、資料請求ページに入力された情報に基づいて客観的に抽出される個人情報を、家族と思われる個人情報として抽出することができる。また、同じ顧客であっても、引っ越し等により個人情報が変わったり、資料請求ページへ間違った情報が入力されたりする場合がある。この構成の保険商品提示システムによれば、このような場合であっても、過去に入力された同一の顧客と思われる情報を抽出することができる。これらの作用によって、オペレータに対して、一の資料請求情報に関係する多くの関連情報を携えて保険加入希望者にコンタクトできるので、保険加入希望者のニーズに合った情報を提供することができる。この結果、アポイントメント成立の割合が高くなる。
【００１１】
本発明の保険商品提示システムでは、第一端末装置は、資料請求情報に対して、保険加入希望者に対する架電の成否に関する情報、アポイントメントの成否に関する情報、及び架電時のヒアリング内容の入力可能に設けられており、情報管理部は、第一操作部を介して入力された、保険加入希望者に対する架電の成否に関する情報、アポイントメントの成否に関する情報、及び架電時のヒアリング内容を顧客情報として管理してもよい。ここでいう架電の成否とは、資料請求者に電話をした結果、資料請求者と話しができたか否かを示す情報をいう。この構成の保険商品提示システムでは、オペレータが保険加入希望者に架電したときの記録を顧客情報として容易に記録することができる。
【００１２】
本発明の保険商品提示システムでは、情報管理部は、架電の成否に関する情報に関連付けて架電日時を記憶して管理しており、制御部は、架電の成否に関する情報が否であり、かつ、架電日時から所定日が経過した資料請求情報を、未架電情報として第一表示部に一覧表示させてもよい。この構成の保険商品提示システムでは、電話がつながらなかった資料請求者を効率的に管理することができる。
【００１３】
本発明の保険商品提示システムでは、制御部は、記憶部に記憶された資料請求情報を、第二端末装置の前記第二表示部に表示させ、第二端末装置は、アポイントメントが成立した資料請求情報ごとに直営店舗に所属する相談員に関する情報を入力可能に設けられており、情報管理部は、第二操作部を介して入力された相談員に関する情報を、顧客情報として管理してもよい。この構成の保険商品提示システムでは、直営店舗の相談員は、例えば、直営店舗にてアポイントメントの成否に関する情報を確認しながら資料請求の内容を考慮して相談員を決定できる。また、直営店舗の相談員は、例えば、オペレータが架電時に話した内容、資料請求時に入力された情報等を参照しながら、保険加入希望者と面談することができる。
【発明の効果】
【００１４】
本発明によれば、見込み客に関する情報の収集から保険加入希望者へのアポイントメント成立までの工程を効率的に支援することができる。
【図面の簡単な説明】
【００１５】
【図１】一実施形態に係る保険商品提示システムの全体構成を示すブロック図である。
【図２】提示サーバ、管理サーバ、第一端末装置、第二端末装置、クライアント端末及び第三端末装置のハードウェア構成を示す図である。
【図３】提示サーバの機能構成を示す機能ブロック図である。
【図４】条件入力画面の一例を示す図である。
【図５】保険商品記憶部が記憶する保険商品情報のテーブル構成の一例を示す図である。
【図６】検索結果画面の一例を示す図である。
【図７】個人情報入力画面の一例を示す図である。
【図８】管理サーバの機能構成を示す機能ブロック図である。
【図９】（ａ）は、顧客情報のテーブル構成の一例を示す図であり、（ｂ）は、資料請求情報のテーブル構成の一例を示す図である。
【図１０】保険加入希望者一覧画面の一例を示した図である。
【図１１】関連情報表示画面の一例を示した図である。
【図１２】顧客情報表示画面の一例を示した図である。
【図１３】（ａ）は、アポイントメント情報入力フォームの一例を示した図であり、（ｂ）は、コンタクト情報入力フォームの一例を示した図である。
【発明を実施するための形態】
【００１６】
以下、図面を参照して一実施形態について説明する。図面の説明において、同一要素には同一符号を付し、重複する説明を省略する。
【００１７】
保険商品提示システム１は、複数の直営店舗（窓口店舗）を有し、当該窓口に来店されるお客様（保険加入希望者）と保険会社との間の保険契約締結の媒介を行う保険代理店としての会社Ｘに構築されている。保険商品提示システム１は、ネットワーク３を介してアクセス可能なクライアント端末７０に対し、抽出希望条件に応じた保険商品を提示すると共に、少なくとも漢字氏名及び連絡先（住所、電話番号、及び携帯電話番号の少なくとも一つ）を含む個人情報の入力を条件として保険商品の資料請求を受け付けるシステムである。更に、保険商品提示システム１は、コールセンターのオペレータが保険加入希望者（資料請求者）にアポイントメントをとることを支援すると共に、オペレータが架電したときに保険加入希望者からヒアリングした内容を直営店舗に所属する相談員等を共有するためのシステムでもある。図１に示されるように、保険商品提示システム１は、提示サーバ１０と、管理サーバ２０と、第一端末装置４０と、第二端末装置６０と、を備えている。
【００１８】
提示サーバ１０は、例えば、本社内のサーバルームに設置されている。提示サーバ１０は、ネットワーク３を介して接続されるクライアント端末７０（７０ａ，７０ｂ，…，７０ｎ）において入力される条件に基づいて保険商品を提示すると共に、少なくとも漢字氏名及び連絡先を含む個人情報の入力を条件として保険商品の資料請求を受け付ける資料請求ページを提供するサーバである。提示サーバ１０は、図２に示されるように、ＣＰＵ（Central  Processing  Unit）３１ａ、ＲＡＭ（Random  Access  Memory）及びＲＯＭ（Read  Only  Memory）等の主記憶部３２ａ、ハードディスク、フラッシュメモリ等に例示される補助記憶部３３ａ、キーボード及びマウス等の入力部３４ａ、ディスプレイ等の出力部３５ａ等を含むコンピュータシステムとして構成されている。
【００１９】
図１に示されるクライアント端末７０（７０ａ，７０ｂ，…，７０ｎ）は、ネットワーク３を介して提示サーバ１０にアクセス可能に設けられている。クライアント端末７０は、提示サーバ１０に対して保険商品の提示、及び保険商品の資料請求を求める装置である。クライアント端末７０は、提示サーバ１０と同様、図２に示されるように、ＣＰＵ３１ｂ、ＲＡＭ及びＲＯＭ等の主記憶部３２ｂ、ハードディスク、フラッシュメモリ等に例示される補助記憶部３３ｂ、キーボード及びマウス等の入力部３４ｂ、ディスプレイ等の出力部３５ｂ等を含むコンピュータシステムとして構成されている。クライアント端末７０の例には、据え置き型の端末（パーソナルコンピュータ）及びスマートフォンが含まれる。
【００２０】
管理サーバ２０は、例えば、本社内のサーバルームに設置されている。管理サーバ２０は、顧客情報及び資料請求情報を管理する共に、第一端末装置４０、第二端末装置６０、及び第三端末装置８０に顧客情報及び資料請求情報を提供するサーバである。管理サーバ２０は、図２に示されるように、ＣＰＵ（Central  Processing  Unit）３１ｃ、ＲＡＭ（Random  Access  Memory）及びＲＯＭ（Read  Only  Memory）等の主記憶部３２ｃ、ハードディスク、フラッシュメモリ等に例示される補助記憶部３３ｃ、キーボード及びマウス等の入力部３４ｃ、ディスプレイ等の出力部３５ｃ等を含むコンピュータシステムとして構成されている。
【００２１】
第一端末装置４０は、コールセンターに配置されている。第一端末装置４０は、コールセンターのオペレータが保険商品の保険加入希望者に対して効率的にアポイントメントをとるための装置である。第一端末装置４０は、図２に示されるように、ＣＰＵ（Central  Processing  Unit）３１ｄ、ＲＡＭ（Random  Access  Memory）及びＲＯＭ（Read  Only  Memory）等の主記憶部３２ｄ、ハードディスク、フラッシュメモリ等に例示される補助記憶部３３ｄ、キーボード及びマウス等の入力部（第一操作部）３４ｄ、ディスプレイ等の出力部（第一表示部）３５ｄ等を含むコンピュータシステムとして構成されている。第一端末装置４０は、音声による通話が可能な通話装置４１を更に備えている。
【００２２】
第二端末装置６０（６０ａ，６０ｂ，…，６０ｎ）は、直営店舗Ａ〜Ｎにそれぞれ配置されている。第二端末装置６０は、直営店舗に所属する相談員が、直営店舗にてアポイントメントの成否に関する情報を確認しながら資料請求の内容を考慮して相談員を決定したり、直営店舗に所属する相談員が、オペレータによって入力された内容、資料請求時に入力された情報等を参照しながら、保険加入希望者と面談したりするための装置である。第二端末装置６０は、図２に示されるように、ＣＰＵ（Central  Processing  Unit）３１ｅ、ＲＡＭ（Random  Access  Memory）及びＲＯＭ（Read  Only  Memory）等の主記憶部３２ｅ、ハードディスク、フラッシュメモリ等に例示される補助記憶部３３ｅ、キーボード及びマウス等の入力部（第二操作部）３４ｅ、ディスプレイ等の出力部３５ｅ等を含むコンピュータシステムとして構成されている。
【００２３】
第三端末装置８０（８０ａ，８０ｂ，…，８０ｎ）は、提携代理店Ａ〜Ｎにそれぞれ配置されている。第三端末装置８０は、提携代理店に所属する相談員が、会社Ｘの管理サーバ２０から送信されてくる個人情報及び資料請求情報を受信及び閲覧するための装置である。第三端末装置８０は、図２に示されるように、ＣＰＵ（Central  Processing  Unit）３１ｆ、ＲＡＭ（Random  Access  Memory）及びＲＯＭ（Read  Only  Memory）等の主記憶部３２ｆ、ハードディスク、フラッシュメモリ等に例示される補助記憶部３３ｆ、キーボード及びマウス等の入力部３４ｆ、ディスプレイ等の出力部３５ｆ等を含むコンピュータシステムとして構成されている。
【００２４】
提示サーバ１０と、管理サーバ２０と、第一端末装置４０と、第二端末装置６０と、クライアント端末７０（７０ａ，７０ｂ，…，７０ｎ）と、第三端末装置８０（８０ａ，…，８０ｎ）とは、ネットワーク３を介して互いに構成されている。ネットワークの例には、インターネット回線、専用回線、ＶＰＮ（Virtual  Private  Network）回線等が含まれる。また、ネットワーク３は、有線であってもよいし、無線であってもよい。提示サーバ１０と、管理サーバ２０と、第一端末装置４０と、第二端末装置６０とは、ネットワーク３を介して互いにアクセス可能に接続されている。クライアント端末７０は、ネットワーク３を介して提示サーバ１０に接続されている。第三端末装置８０は、ネットワーク３を介して管理サーバ２０に接続されている。
【００２５】
提示サーバ１０について詳細に説明する。図３に示されるように、提示サーバ１０は、検索情報取得部１１と、保険商品記憶部１２と、検索結果表示部１３と、資料請求受付部１４と、接続情報取得部１５と、を有している。提示サーバ１０は、ＲＯＭに記憶されているプログラム（保険商品提示プログラム）をＲＡＭにロードし、ＣＰＵ３１ａがＲＡＭにロードされたプログラムを実行することで、検索情報取得部１１、検索結果表示部１３、資料請求受付部１４、及び接続情報取得部１５における各種機能を実現する。すなわち、提示サーバ１０では、ＣＰＵ３１ａ、主記憶部３２ａ等のハードウェアと、プログラム等のソフトウェアとが協働することによって、検索情報取得部１１、検索結果表示部１３、資料請求受付部１４、及び接続情報取得部１５が形成される。
【００２６】
検索情報取得部１１は、クライアント端末７０のディスプレイに保険商品の抽出条件を入力させるための検索画面（資料請求ページの一部）ＳＣ１（図４参照）を表示させる。検索情報取得部１１は、例えば、抽出条件としての保険種類（カテゴリ）、性別、年齢、及びキーワード等の情報を、クライアント端末７０におけるキーボード等による操作、又はマウス等による選択肢の選択によって入力が可能な入力欄と、マウス等による操作によってクリックが可能な検索ボタンＢ１と、を有する検索画面ＳＣ１を、クライアント端末７０のディスプレイに表示させる。検索情報取得部１１は、検索画面ＳＣ１の各入力欄に情報が入力された状態で検索ボタンＢ１がクリックされたことを検知すると、入力欄に入力された情報（以下、「抽出希望情報」とも称する。）を提示サーバ１０に送信させる。
【００２７】
保険商品記憶部１２は、保険商品に関する情報を記憶する。保険商品記憶部１２は、例えば、ハードディスク等の補助記憶部３３ａから形成される。保険商品記憶部１２は、保険商品を識別する保険商品識別情報としての保険商品名と、保険会社名と、保険種類と、保険期間と、保険加入希望者の属性ごとの保険商品金額と、保障詳細内容等を示す商品内容情報と、を保険商品情報Ｔ１（図５参照）として記憶する。保険の種類の例には、医療保険及び生命保険等の情報が含まれる。保険期間の例には、終身及び定期等の情報が含まれる。保険商品記憶部１２は、保険商品に関するその他情報を含んで記憶してもよい。なお、図５に示される保険商品情報Ｔ１のテーブル構成は一例である。
【００２８】
検索結果表示部１３は、クライアント端末７０からネットワーク３を介して送信されてくる抽出希望情報に基づいて、保険商品記憶部１２に記憶された保険商品情報Ｔ１（図５参照）を検索し、抽出希望情報に合致する保険商品を抽出する。検索結果表示部１３は、保険商品情報Ｔ１から抽出した保険商品を一覧として示す検索結果画面（資料請求ページの一部）ＳＣ２をクライアント端末７０のディスプレイに一覧表示させる。検索結果表示部１３は、例えば、図６に示されるように、保険商品名、保険会社名、保険商品金額、及び保障詳細内容を、検索結果画面ＳＣ２としてディスプレイに表示させる。検索結果表示部１３は、検索結果画面ＳＣ２において、一覧として表示される保険商品のそれぞれに対応させて、チェックボックスＢ２を表示させる。検索結果表示部１３は、検索結果画面ＳＣ２の下方に、クライアント端末７０のマウス等の操作によってクリックが可能な資料請求ボタンＢ３を表示させる。
【００２９】
資料請求受付部１４は、少なくとも漢字氏名及び連絡先を含む情報の入力を条件として保険商品の資料請求を受け付ける。資料請求受付部１４は、図６に示される検索結果画面ＳＣ２において資料請求ボタンＢ３がクリックされたことを検知すると、図７に示されるような個人情報入力画面（資料請求ページ）ＳＣ３をクライアント端末７０のディスプレイに表示させる。資料請求受付部１４は、例えば、個人情報としての保険加入希望者の氏名、性別、年齢、住所情報、電話番号、及び問い合わせ事項等の情報を、クライアント端末７０におけるキーボード等による操作、又はマウス等による選択肢の選択によって入力が可能な入力欄と、マウス等による操作によってクリックが可能な申込ボタンＢ４と、を有する個人情報入力画面ＳＣ３を、クライアント端末７０のディスプレイに表示させる。資料請求受付部１４は、個人情報入力画面ＳＣ３の各入力欄に情報が入力された状態で申込ボタンＢ４がクリックされたことを検知すると、入力欄に入力された情報（以下、「個人情報」とも称する。）を提示サーバ１０に送信させる。個人情報を受信した提示サーバ１０は、当該個人情報を管理サーバ２０に転送する。
【００３０】
接続情報取得部（情報取得部）１５は、個人情報入力画面ＳＣ３へアクセスするデバイスに関する情報と、個人情報入力画面ＳＣ３へのアクセス時の参照元に関する情報と、を取得する（情報取得処理）。デバイスに関する情報には、少なくとも据え置き型の端末（パーソナルコンピュータ）及びスマートフォンが含まれる。すなわち、接続情報取得部１５は、個人情報入力画面ＳＣ３へアクセスするデバイスが、据え置き型の端末であるか、又はスマートフォンであるか、を把握することができる。なお、デバイスに関する情報には、据え置き型の端末及びスマートフォンに加え、タブレットが含まれてもよい。
【００３１】
参照元に関する情報には、ＹＡＨＯＯ（登録商標）によって一般検索された結果、Ｇｏｏｇｌｅ（登録商標）によって一般検索された結果、ＹＡＨＯＯが提供する広告（インフィード広告）がクリックされた結果、ＬＩＮＥ（登録商標）が提供する広告がクリックされた結果、又はＦａｃｅｂｏｏｋ（登録商標）が提供する広告がクリックされた結果、資料請求ページ（検索画面ＳＣ１、検索結果画面ＳＣ２、個人情報入力画面ＳＣ３）にアクセスされたのかという情報が含まれる。例えば、接続情報取得部１５は、ＨＴＴＰクッキー（Ｈｙｐｅｒ  Ｔｅｘｔ  Ｔｒａｎｓｆｅｒ  Ｐｒｏｔｏｃｏｌ  Ｃｏｏｋｉｅ）を使用することにより、クライアント端末７０、又はクライアント端末７０がアクセスした任意のサーバから取得することができる。
【００３２】
次に、クライアント端末７０（７０ａ，７０ｂ，…，７０ｎ）について詳細に説明する。クライアント端末７０は、ＲＯＭに記憶されているプログラムをＲＡＭにロードし、ＣＰＵ３１ｂがＲＡＭにロードされたプログラムを実行することで各種機能を実現する。本実施形態のクライアント端末７０では、ＣＰＵ３１ｂ、主記憶部３２ｂ等のハードウェアと、プログラム等のソフトウェアとが協働することによって、下記に示すような機能が実現される。
【００３３】
クライアント端末７０では、ネットワーク３を介して所定のアドレスにアクセスすることにより、ディスプレイに検索画面ＳＣ１（図４参照）が表示される。ディスプレイに表示された検索画面ＳＣ１の各入力欄は、キーボード等による操作、又はマウス等による選択肢の選択によって入力が可能である。検索画面ＳＣ１の検索ボタンＢ１は、マウス等による操作によってクリックが可能である。また、クライアント端末７０では、ディスプレイに検索結果画面ＳＣ２（図６参照）が表示される。ディスプレイに表示された検索結果画面ＳＣ２の資料請求ボタンＢ３は、マウス等による操作によってクリックが可能である。更に、クライアント端末７０では、ディスプレイに個人情報入力画面ＳＣ３（図７参照）が表示される。ディスプレイに表示された個人情報入力画面ＳＣ３の各入力欄は、キーボード等による操作、又はマウス等による選択肢の選択によって入力が可能である。
【００３４】
次に、管理サーバ２０について詳細に説明する。管理サーバ２０は、図８に示されるように、記憶部２１と、ユーザ情報管理部（情報管理部）２２と、第一制御部（制御部）２３と、第二制御部（制御部）２４と、第三制御部（制御部）２５と、を有している。管理サーバ２０は、ＲＯＭに記憶されているプログラム（保険商品提示プログラム）をＲＡＭにロードし、ＣＰＵ３１ｃがＲＡＭにロードされたプログラムを実行することで、ユーザ情報管理部２２、第一制御部２３、第二制御部２４、及び第三制御部２５における各種機能を実現する。すなわち、管理サーバ２０では、ＣＰＵ３１ｃ、主記憶部３２ｃ等のハードウェアと、プログラム等のソフトウェアとが協働することによって、ユーザ情報管理部２２、第一制御部２３、第二制御部２４、及び第三制御部２５が形成される。
【００３５】
記憶部２１は、提示サーバ１０から送信されてくる個人情報及び資料請求情報を記憶する（記憶処理）。また、記憶部２１は、第一端末装置４０から送信されてくるアポイントメントの成否及びコンタクト情報、及び第二端末装置６０から送信されてくる相談員情報を資料請求情報として記憶する。記憶部２１は、例えば、ハードディスク等の補助記憶部３３ｃから形成される。記憶部２１は、ＩＤ（identification）、氏名、カナ氏名、住所、電話番号、携帯電話番号、生年月日、性別、職業、担当店舗、及び契約中の保険商品等を顧客情報Ｔ２（図９（ａ）参照）として記憶する。なお、図９（ａ）に示される顧客情報Ｔ２のテーブル構成は一例である。図９（ａ）に示す顧客情報Ｔ２において、性別欄の「１」は男性を示すコードであり、「２」は女性を示すコードである。
【００３６】
また、記憶部２１は、デバイス、参照元１、参照元２、資料請求日時、架電日時、架電の成否、氏名、アポイントメント、担当店舗、相談員等を資料請求情報Ｔ３（図９（ｂ）参照）として記憶する。なお、図９（ｂ）に示される資料請求情報Ｔ３のテーブル構成は一例である。デバイス欄の「１」は据え置き型の端末から資料請求ページにアクセスされたことを示すコードであり、「スマ」はスマートフォンから資料請求ページにアクセスされたことを示すコードである。
【００３７】
参照元１欄の「１」はＹＡＨＯＯによって一般検索された結果又はＹＡＨＯＯが提供する広告（インフィード広告）がクリックされた結果、「２」はＧｏｏｇｌｅ（登録商標）によって一般検索された結果、「３」はＬＩＮＥ（登録商標）が提供する広告がクリックされた結果、「４」はＦａｃｅｂｏｏｋ（登録商標）が提供する広告がクリックされた結果、資料請求ページにアクセスされたことを示すコードである。参照元２欄の「１」は女性保険に関する広告がクリックされた結果、「２」は生命保険に関する広告がクリックされた結果、「３」は学生保険に関する広告がクリックされた結果、「４」はがん保険に関する広告がクリックされた結果、「５」は医療保険に関する広告がクリックされた結果、資料請求ページにアクセスされたことを示すコードである。また、顧客情報Ｔ２と資料請求情報Ｔ３とは、例えば漢字氏名をキーにリンクされている。架電の成否欄の「１」は架電をして実際に資料請求者につながったこと、「２」は架電をしたが資料請求者につながらなかったことを示すコードである。
【００３８】
ユーザ情報管理部２２は、提示サーバ１０から個人情報及び資料請求情報が送信されてくると、記憶部２１に記憶されている顧客情報Ｔ２及び資料請求情報Ｔ３を更新する。また、ユーザ情報管理部２２は、マウス又はキーボード等を介して入力された、保険加入希望者に対する架電の成否に関する情報、アポイントメントの成否に関する情報、及び架電時のヒアリング内容を、顧客情報として管理する。ユーザ情報管理部２２は、マウス又はキーボード等を介して入力された相談員に関する情報を顧客情報として管理する。ユーザ情報管理部２２は、一の個人情報に対して家族関係にある他の個人情報を関連付けた情報を顧客情報として管理する。具体的には、顧客の申告情報等に基づいて、顧客情報Ｔ２のＩＤ同士を関連付けて記憶部２１に記憶させる。また、ユーザ情報管理部２２は、架電の成否に関する情報に関連付けて架電日時を記憶して管理する。
【００３９】
第一制御部２３は、提示サーバ１０によって資料請求が受け付けられると、保険加入希望者に関する情報を第一端末装置４０のディスプレイに、個人情報入力画面ＳＣ３（図７参照）で受け付けた個人情報と、資料請求ページにアクセスしたデバイス及び参照元に関する情報とを対応付けて一覧表示させる（表示制御処理）。具体的には、第一制御部２３は、図１０に示されるように、デバイス（デバイス情報）、参照元（参照元情報）、資料請求日時、架電日時、漢字氏名（保険加入希望者の氏名）、住所、電話番号、生年月日、及び性別等を、保険加入希望者一覧画面ＳＣ４として、第一端末装置４０のディスプレイに表示させる。個人情報には、漢字氏名（保険加入希望者の氏名）、住所、電話番号、生年月日、及び性別等が含まれる。第一制御部２３は、提示サーバ１０の受け付けに連動して、リアルタイムに更新されてもよい。
【００４０】
図１０に示される保険加入希望者一覧画面ＳＣ４において、デバイス欄の「通常」は据え置き型の端末から資料請求ページにアクセスされたことを示し、「スマ」はスマートフォンから資料請求ページにアクセスされたことを示す。
【００４１】
また、参照元の数値である「Ｙ」はＹＡＨＯＯによって一般検索された結果又はＹＡＨＯＯが提供する広告（インフィード広告）がクリックされた結果、「Ｇ」はＧｏｏｇｌｅによって一般検索された結果、「Ｌ」はＬＩＮＥが提供する広告がクリックされた結果、「Ｆ」はＦａｃｅｂｏｏｋが提供する広告がクリックされた結果、資料請求ページにアクセスされたことを示している。また、参照元の文字である「女」は女性保険に関する広告がクリックされた結果、「生」は生命保険に関する広告がクリックされた結果、「学」は学生保険に関する広告がクリックされた結果、「が」はがん保険に関する広告がクリックされた結果、「医」は医療保険に関する広告がクリックされた結果、資料請求ページにアクセスされたことを示している。
【００４２】
第一制御部２３は、保険加入希望者一覧画面ＳＣ４において、デバイスの項目がスマートフォンよりもパソコンが記憶された資料請求情報を一覧表示の上方に優先的に表示させる。また、第一制御部２３は、保険加入希望者一覧画面ＳＣ４において、過去に当該資料請求ページから資料を請求したことがある者の資料請求情報、すなわち、記憶部２１に既に記憶されている保険加入希望者（記憶部２１の中に、同一の漢字氏名と連絡先とを有する資料請求情報がある場合）、保険加入希望者一覧画面ＳＣ４において、資料請求情報を一覧表示の上方に優先的に表示させる。
【００４３】
第一制御部２３は、キーボード及びマウス等の入力部を介してディスプレイに表示された一の資料請求情報（図１０の保険加入希望者一覧画面ＳＣ４のそれぞれの行として示される情報群）が選択されると、選択された一の資料請求情報に含まれる住所、電話番号、携帯電話番号、漢字氏名、及びカナ氏名の少なくとも一つが一致、かつ家族関係に該当するとして管理されていない個人情報を記憶部２１から候補情報として抽出して、家族情報及び候補情報を関連情報としてディスプレイに表示させる（図１１参照）。
【００４４】
より詳細には、第一制御部２３は、図１０に示される保険加入希望者一覧画面ＳＣ４において、一の資料請求情報（図１０の保険加入希望者一覧画面ＳＣ４のそれぞれの行として示される情報群）が選択された状態で、関連情報ボタンＢ５がクリックされると、記憶部２１の中から、選択された資料請求情報に含まれる住所、電話番号、携帯電話番号、漢字氏名、及びカナ氏名の少なくとも一つが一致する個人情報を候補情報として抽出する。そして、第一制御部２３は、この抽出処理に並行して、記憶部２１の中から家族関係に該当するとして管理されている個人情報を家族情報として抽出する。
【００４５】
第一制御部２３は、上述のとおり抽出した家族情報としての個人情報に加え、上述のとおり抽出した候補情報としての個人情報（家族情報としての個人情報を除く）を関連情報として表示された関連情報表示画面ＳＣ５（図１１参照）をディスプレイに表示させる。関連情報には、漢字氏名、カナ氏名、住所、電話番号、携帯電話番号、生年月日、性別、及び契約保険等の情報が含まれる。関連情報表示画面ＳＣ５において、一覧ボタンＢ７がクリックされると、図１０に示される保険加入希望者一覧画面ＳＣ４に遷移する。
【００４６】
また、第一制御部２３は、図１０に示される保険加入希望者一覧画面ＳＣ４において、一の資料請求情報が選択された状態で、顧客情報ボタンＢ６がクリックされると、選択された資料請求情報に含まれる漢字氏名かつ連絡先に一致する個人情報が表示された顧客情報表示画面ＳＣ６（図１２参照）をディスプレイに表示させる。第一制御部２３は、顧客情報表示画面ＳＣ６として、基本情報、家族情報、履歴情報、アポイントメント情報、及びコンタクト情報等を表示させる。顧客情報表示画面ＳＣ６において、一覧ボタンＢ７がクリックされると、図１０に示される保険加入希望者一覧画面ＳＣ４に遷移する。
【００４７】
基本情報には、顧客情報Ｔ２として記憶された情報を表示する部分であり、顧客名、性別、生年月日、年齢、職業、担当店舗、住所、電話番号、携帯電話番号、及び契約保険情報等が含まれる。家族情報には、ＩＤ、漢字氏名、カナ氏名、住所、電話番号、携帯電話番号、生年月日、及び性別等が含まれる。履歴情報には、資料請求日時、保険商品、及び契約の有無が含まれる。アポイントメント情報には、アポイントメント日時、担当店舗、及び相談員が含まれる。コンタクト情報には、コンタクト日時及びコンタクト情報が含まれる。
【００４８】
また、第一制御部２３は、図１０に示される保険加入希望者一覧画面ＳＣ４に表示される資料請求情報のそれぞれに対して、架電の成否に関する情報の入力を可能にする。具体的には、第一制御部２３は、保険加入希望者一覧画面ＳＣ４において一の資料請求情報が選択された状態で、架電ボタンＢ１０がクリックされると、電話番号又は携帯電話番号に架電すると共に、架電日時の欄にその日時を自動的に入力させる。
【００４９】
また、第一制御部２３は、図１２に示される顧客情報表示画面ＳＣ６において、アポイントメントの成否に関する情報の入力を可能にする。具体的には、第一制御部２３は、顧客情報表示画面ＳＣ６において、追加ボタンＢ８がクリックされると、図１３（ａ）に示される、アポイントメント情報入力フォームＳＣ７を表示させる。第一端末装置４０では、マウス又はキーボード等を介して、アポイントメント日時及び担当店舗を入力可能に設けられている。担当店舗については、保険加入希望者の住所等から自動的に選択されるようにしてもよい。すなわち、保険加入希望者の住所等と担当店舗との対応関係が定義されたデータ等に基づいて、担当店舗は自動的に割り振られるように構成してもよい。なお、相談員については、第二端末装置６０において入力される。ここで、保存ボタンＢ１１がクリックされると、第一制御部２３は、アポイントメント情報入力フォームＳＣ７において入力された情報を記憶部２１に記憶させる。
【００５０】
また、第一制御部２３は、図１２に示される顧客情報表示画面ＳＣ６において、架電時のヒアリング内容の入力を可能にする。具体的には、第一制御部２３は、顧客情報表示画面ＳＣ６において、追加ボタンＢ９がクリックされると、図１３（ｂ）に示される、コンタクト情報入力フォームＳＣ８を表示させる。第一端末装置４０では、マウス又はキーボード等を介して、コンタクト内容を入力可能に設けられている。ここで、保存ボタンＢ１２がクリックされると、第一制御部２３は、コンタクト情報入力フォームＳＣ８において入力された情報を記憶部２１に記憶させる。
【００５１】
また、第一制御部２３は、図１０に示される保険加入希望者一覧画面ＳＣ４において、架電の成否に関する情報が否であり、かつ、架電日時から所定日が経過した資料請求情報を、未架電情報として出力部３５ｄに一覧表示させる。具体的には、未架電情報は、保険加入希望者一覧画面ＳＣ４の未架電一覧ボタンＢ１５がクリックされると表示される。未架電情報は、図示はしないが、保険加入希望者一覧画面ＳＣ４とほぼ同じである。更に詳細には、未架電情報は、架電日時から１週間（所定日）が経過した資料請求情報と、架電日時から２週間（所定日）が経過した資料請求情報とが、それぞれ表示される。なお、１週間及び２週間という期間は任意に設定することができる。なお、本実施形態では、未架電情報として出力部３５ｄに一覧表示させる例を挙げて説明したが、ＴｏＤｏリストとして資料請求情報を管理してもよい。
【００５２】
第二制御部２４は、記憶部２１に記憶された顧客情報及び資料請求情報を、直営店舗Ａ〜Ｎのそれぞれに配置された第二端末装置６０（６０ａ〜６０ｎ）のディスプレイ（第二表示部）に表示させる。具体的には、第二制御部２４は、図１２に示されるような、図示しない顧客情報一覧画面を介して顧客情報表示画面ＳＣ６から一覧ボタンＢ７を除いたような顧客情報表示画面ＳＣ９を、第二端末装置６０のディスプレイに表示させる。
【００５３】
また、第二制御部２４は、顧客情報表示画面ＳＣ９において、アポイントメント情報の入力が可能に構成されている。具体的には、顧客情報表示画面ＳＣ９では、アポイント情報が表示された欄の隣に追加ボタンＢ１３が設けられている。顧客情報表示画面ＳＣ９において、追加ボタンＢ１３がクリックされると、第二制御部２４は、図示しない相談員入力フォームを第二端末装置６０のディスプレイに表示させる。第二端末装置６０では、マウス又はキーボードを介して相談員の情報が入力可能となっている。具体的には、マウス又はキーボードを介して相談員入力フォームに相談員が入力されると、第二制御部２４は、相談員入力フォームにおいて入力された相談員に関する情報を記憶部２１に記憶させる。
【００５４】
第三制御部２５は、提示サーバ１０によって資料請求が受け付けられた資料請求情報のうち、第一端末装置において（すなわちオペレータによって）、アポイントメント情報の担当店舗として提携代理店が登録された資料請求情報を、第三端末装置８０に一方的に配信する。第三制御部２５は、第二制御部２４とは異なり、記憶部２１に記憶された顧客情報及び資料請求情報を、提携代理店Ａ〜Ｎのそれぞれに配置された第三端末装置８０（８０ａ〜８０ｎ）のディスプレイ（第三表示部）に表示させるのではなく、記憶部２１に記憶された顧客情報及び資料請求情報を、例えば電子メールの本文に記載したり又は添付ファイルに記載したりして第三端末装置８０に送信する。
【００５５】
次に、第一端末装置４０について詳細に説明する。第一端末装置４０は、ＲＯＭに記憶されているプログラム（保険商品提示プログラム）をＲＡＭにロードし、ＣＰＵ３１ｄがＲＡＭにロードされたプログラムを実行することで各種機能が実現される。すなわち、本実施形態の第一端末装置４０では、ＣＰＵ３１ｄ、主記憶部３２ｄ等のハードウェアと、プログラム等のソフトウェアとが協働することによって、各種機能が実現される。
【００５６】
第一端末装置４０は、管理サーバ２０の記憶部２１にアクセス可能に設けられている。具体的には、第一制御部２３は、第一端末装置４０からのアクセスの要求によって、第一端末装置４０のディスプレイに、保険加入希望者一覧画面ＳＣ４、関連情報表示画面ＳＣ５、及び顧客情報表示画面ＳＣ６を表示させる。また、第一制御部２３は、第一端末装置４０からのアクセスの要求によって、第一端末装置４０のディスプレイにアポイントメント情報入力フォームＳＣ７及びコンタクト情報入力フォームＳＣ８を表示させる。
【００５７】
次に、第二端末装置６０について詳細に説明する。第二端末装置６０は、ＲＯＭに記憶されているプログラム（保険商品提示プログラム）をＲＡＭにロードし、ＣＰＵ３１ｅがＲＡＭにロードされたプログラムを実行することで各種機能が実現される。すなわち、本実施形態の第二端末装置６０では、ＣＰＵ３１ｅ、主記憶部３２ｅ等のハードウェアと、プログラム等のソフトウェアとが協働することによって、各種機能が実現される。
【００５８】
第二端末装置６０は、管理サーバ２０の記憶部２１にアクセス可能に設けられている。具体的には、第二制御部２４は、第二端末装置６０からのアクセスの要求によって、第二端末装置６０のディスプレイに、顧客情報表示画面ＳＣ９を表示させる。また、第二制御部２４は、第二端末装置６０からのアクセスの要求によって、第二端末装置６０のディスプレイに相談員入力フォームを表示させる。
【００５９】
次に、第三端末装置８０について詳細に説明する。第三端末装置８０は、ＲＯＭに記憶されているプログラムをＲＡＭにロードし、ＣＰＵ３１ｆがＲＡＭにロードされたプログラムを実行することで各種機能が実現される。すなわち、本実施形態の第三端末装置８０では、ＣＰＵ３１ｆ、主記憶部３２ｆ等のハードウェアと、プログラム等のソフトウェアとが協働することによって、各種機能が実現される。
【００６０】
第三端末装置８０は、第一端末装置４０及び第二端末装置６０とは異なり、管理サーバ２０の記憶部２１にはアクセス不能に設けられている。具体的には、第三制御部２５は、第三端末装置８０からのアクセスの要求を受け付けることなく、一方的に、第三端末装置８０に顧客情報及び資料請求情報を配信する。
【００６１】
次に、クライアント端末７０から保険商品の提示を求められ、保険商品の資料請求がなされた場合の、保険商品提示システム１における動作について説明する。
【００６２】
まず、保険商品の提示を受けたいと希望するユーザＹは、クライアント端末７０を操作して、所定のアドレスにアクセスする。所定のアドレスにアクセスされたクライアント端末７０のディスプレイには、検索画面ＳＣ１（図４参照）が表示される。ユーザＹは、検索画面ＳＣ１に対し、マウス又はキーボード等を介して、抽出希望情報を入力する。検索画面ＳＣ１における各入力欄に情報が入力された状態で、検索ボタンＢ１がクリックされると、各入力欄に入力された情報（抽出希望情報）が提示サーバ１０に送信される。
【００６３】
抽出希望情報を受信した提示サーバ１０は、抽出希望情報に合致する保険商品を保険商品記憶部１２から抽出し、抽出された保険商品に関する情報をクライアント端末７０に送信する。抽出された保険商品に関する情報を受信したクライアント端末７０のディスプレイには、検索結果画面ＳＣ２（図６参照）が表示される。ユーザＹは、資料請求を求めたい保険商品がある場合には、マウス等を操作して当該保険商品に対応するチェックボックスＢ２にチェックを入力する。検索結果画面ＳＣ２においてチェックボックスＢ２がチェックされた状態で資料請求ボタンＢ３がクリックされると、管理サーバ２０は、クライアント端末７０のディスプレイに個人情報入力画面ＳＣ３（図７参照）を表示させる。
【００６４】
個人情報入力画面ＳＣ３の申込ボタンＢ４がクリックされると、入力欄に入力された個人情報が提示サーバ１０に送信される。個人情報を受信した提示サーバ１０は、当該個人情報を管理サーバ２０に転送する。管理サーバ２０は、提示サーバ１０から送信されてくる個人情報を、当該個人情報を顧客情報及び資料請求情報として記憶（更新）すると共に、第一端末装置４０のディスプレイに保険加入希望者一覧画面ＳＣ４（図１０参照）を表示させる。第一端末装置４０のディスプレイには、クライアント端末７０から資料請求がなされる度に、資料請求情報が更新される。
【００６５】
コールセンターのオペレータは、第一端末装置４０のディスプレイに表示された保険加入希望者一覧画面ＳＣ４を見て、保険加入希望者と来店のアポイントメントをとる。具体的には、オペレータは、保険加入希望者一覧画面ＳＣ４を見て、マウス等を介して一の保険加入希望者情報を選択した状態で、架電ボタンＢ１０をクリックすることによって通話装置を制御して、保険加入希望者の電話番号に架電する。又、架電ボタンＢ１０がクリックされることによって、資料請求情報Ｔ３の架電日時が自動的に更新される。なお、電話が繋がらない場合には、架電日時の更新を取り消すことができる。
【００６６】
オペレータは、保険加入希望者一覧画面ＳＣ４に表示されている様々な情報に基づいて、実際に架電する保険加入希望者を選択している。例えば、オペレータは、デバイス又は参照元を見て、スマホから資料請求ページにアクセスされた保険加入希望者よりも、据え置き型の端末から資料請求ページに選択された保険加入希望者に優先的に架電している。また、例えば、オペレータは、過去に資料請求を行ったことがある保険加入希望者（いわゆるリピータ）に優先的に架電している。
【００６７】
また、オペレータは、保険加入希望者の関連情報を参照しながら架電することができる。関連情報は、保険加入希望者が自ら申告した家族情報だけでなく、資料請求情報に含まれる住所、電話番号、携帯電話番号、漢字氏名、及びカナ氏名の少なくとも一つが一致する候補情報を含む。オペレータは、架電時に、これらの関連情報に含まれる個人情報を見ながら、例えば、家族の者に対しても包括的に保険情報を提供する。また、オペレータは、顧客情報表示画面ＳＣ６のコンタクト情報横の追加ボタンＢ９をクリックすることによりコンタクト情報入力フォームを表示させ、保険加入希望者からヒアリングした内容を入力する。
【００６８】
オペレータの架電によって保険加入希望者との間でアポイントメントが成立すると、オペレータは、アポイントメント情報を入力する。具体的には、顧客情報表示画面ＳＣ６のアポイントメント情報の横の追加ボタンＢ８をクリックすることによりアポイントメント情報入力フォームＳＣ７を表示させ、保険加入希望者の来店アポイントメントの情報を入力する。
【００６９】
オペレータによって、アポイントメントが入力されると、担当店舗として登録された直営店舗の第二端末装置６０では、アポイントメントによって来店する保険加入希望者（顧客）の情報（顧客情報）を顧客情報表示画面ＳＣ９（図１２参照）として閲覧することができると共に、マウス又はキーボード等を介して、来店時に対応する担当相談員の入力が可能となる。また、実際に保険加入希望者が来店したときには、顧客情報表示画面ＳＣ９を見ながら面談をすることができる。
【００７０】
オペレータによって、アポイントメントが入力されると、担当店舗以外の提携代理店の第三端末装置８０には、アポイントメントによって来店する保険加入希望者（顧客）の情報（顧客情報）が管理サーバ２０から文字情報として配信される。保険加入希望者（顧客）の情報を受信した提携代理店の相談員は、保険加入希望者に連絡を取り、面談場所等を確定する。
【００７１】
次に、上記保険商品提示システムの作用効果について説明する。上記実施形態の保険商品提示システム１では、保険加入希望者によって、インターネット上のサイトから少なくとも漢字氏名及び連絡先を含む個人情報の入力を条件とする資料請求がなされることによって、容易に見込み客に関する情報を収集することができる。更に、第一制御部２３は、見込み客情報として、個人情報に関連付けて、資料請求ページにアクセスしたデバイス及び参照元に関する情報とを対応付けて一覧表示させる。ここで、スマートフォンは、例えば、電車での移動中、又は何かを別のことをしながら（例えば、テレビを見ながら等）操作されることが多い傾向にあることから、パソコンからアクセスされる場合と比べて、切迫度合いが小さいと考えられる。また、資料請求ページへのアクセス時に、広告媒体が参照元となる場合と比べて、検索サイト（例えば、Ｇｏｏｇｌｅ（登録商標）又はＹＡＨＯＯ（登録商標））が参照元となる場合の方が、切迫度合いが大きいと考えられる。上記保険商品提示システムを扱うオペレータは、上記のデバイス及び参照元に関する情報を参照しながら、アポイントメントの成立の可能性が高い保険加入希望者に選択的に架電することが可能になる。この結果、見込み客に関する情報の収集から保険加入希望者へのアポイントメント成立までの工程を効率的に支援することができる。
【００７２】
上記実施形態の保険商品提示システム１では、本人が予め家族として申告した個人情報だけでなく、資料請求ページに入力された情報に基づいて客観的に抽出される個人情報を、家族と思われる個人情報として抽出することができる。同じ顧客であっても、引っ越し等により個人情報が変わったり、資料請求ページへ間違った情報が入力されたりする場合がある。上記実施形態の保険商品提示システム１によれば、このような場合であっても、過去に入力された同一の顧客と思われる情報を抽出することができる。これらの作用によって、オペレータに対して、一の資料請求情報に関係する多くの関連情報を提供することができる。
【００７３】
上記実施形態の保険商品提示システム１では、資料請求情報から１クリックするだけの簡易な操作にてコンタクト情報入力フォームＳＣ８が起動する。これにより、オペレータが保険加入希望者に架電したときに入手した情報を顧客情報として容易に記録することができる。
【００７４】
上記実施形態の保険商品提示システム１では、直営店舗の相談員は、例えば、直営店舗にてアポイントメントの成否に関する情報を確認しながら資料請求の内容を考慮して相談員を決定できる。また、直営店舗の相談員は、例えば、オペレータが架電時に話した内容、資料請求時に入力された情報等を参照しながら、保険加入希望者と面談することができる。
【００７５】
上記実施形態の保険商品提示システム１では、デバイスに関する情報としてスマートフォンよりもパソコンが関連付けて記憶された資料請求情報を一覧表示の上方に表示させるので、オペレータは、アポイントメントの成立の可能性が高い保険加入希望者を容易に把握することが可能となる。
【００７６】
上記実施形態の保険商品提示システム１では、記憶部に既に記憶されている保険加入希望者に対応する資料請求情報を一覧表示の上方に表示させるので、オペレータは、リピータを容易に把握できると共に、アポイントメントの成立の可能性が高いリピータに連絡を取りやすくなる。
【００７７】
以上、本発明の一実施形態について説明したが、本発明は上記実施形態に限定されるものではなく、発明の趣旨を逸脱しない範囲で種々の変更が可能である。
【００７８】
上記実施形態の提示サーバ１０では、記憶部を有している例を挙げて説明したが、本発明はこれに限定されるものではない。例えば、記憶部は、データセンター等、提示サーバ１０の外部に設けられていてもよい。
【符号の説明】
【００７９】
１…保険商品提示システム、３…ネットワーク、１０…提示サーバ、１５…接続情報取得部、２０…管理サーバ、２１…記憶部、２２…ユーザ情報管理部（情報管理部）、２３…第一制御部（制御部）、２４…第二制御部（制御部）、２５…第三制御部（制御部）、４０…第一端末装置、６０…第二端末装置、７０…クライアント端末、８０…第三端末装置、ＳＣ１…検索画面、ＳＣ２…検索結果画面、ＳＣ３…個人情報入力画面、ＳＣ４…保険加入希望者一覧画面、ＳＣ５…関連情報表示画面、ＳＣ６…顧客情報表示画面、ＳＣ７…アポイントメント情報入力フォーム、ＳＣ８…コンタクト情報入力フォーム、ＳＣ９…顧客情報表示画面、Ｔ１…保険商品情報、Ｔ２…顧客情報、Ｔ３…資料請求情報。
【図１】
2020113111.tif 000003
【図２】
2020113111.tif 000004
【図３】
2020113111.tif 000005
【図４】
2020113111.tif 000006
【図５】
2020113111.tif 000007
【図６】
2020113111.tif 000008
【図７】
2020113111.tif 000009
【図８】
2020113111.tif 000010
【図９】
2020113111.tif 000011
【図１０】
2020113111.tif 000012
【図１１】
2020113111.tif 000013
【図１２】
2020113111.tif 000014
【図１３】
2020113111.tif 000015